(57)【要約】      （修正有）【課題】着座時、移動時、排泄時の何れにも利用可能であって、ずれ落ちを防ぐことが可能な膝掛けを提供する。【解決手段】使用者の胴体を被包可能に形成された帯状部２と、帯状部２から延び、使用者の大腿部から下腿部を覆う被覆部３と、を備え、略Ｔ字形状に形成された膝掛け１であって、帯状部２は、帯状部２の上縁部近傍に内挿され、胴回りの方向に伸縮性を有する伸縮部５と、使用者の胴体を被包した状態で固定するための固定部６１と、と備え、帯状部２の下縁部から被覆部３の側縁部にかけて縁部が略弧状に形成され、装着時に臀部及び後大腿部が開放されること、を特徴とする。【選択図】図１
0003200084.tif 000002
【実用新案登録請求の範囲】
【請求項１】
使用者の胴体を被包可能に形成された帯状部と、前記帯状部から延び、使用者の大腿部から下腿部を覆う被覆部と、を備え、略Ｔ字形状に形成された膝掛けであって、
前記帯状部は、前記帯状部の上縁部近傍に内挿され、胴回りの方向に伸縮性を有する伸縮部と、
使用者の胴体を被包した状態で固定するための固定部と、と備え、
前記帯状部の下縁部から前記被覆部の側縁部にかけて縁部が略弧状に形成され、装着時に臀部及び後大腿部が開放されること、を特徴とする膝掛け。
【請求項２】
前記被覆部の側縁部から下縁部にかけて、縁部が略弧状に形成されていることを特徴とする請求項１に記載の膝掛け。
【請求項３】
前記被覆部の側縁部近傍に、前記被覆部の側縁方向の長さを調節するための調節部を備えることを特徴とする請求項１又は請求項２に記載の膝掛け。
【請求項４】
前記調設部は、前記被覆部の側縁方向に延びる袋状部と、
前記袋状部の開口から挿通され、前記袋状部の内部で前記被覆部に固定された調節紐と、
前記調節紐を所定の長さだけ引き出した位置で固定するための調節固定部と、を備えることを特徴とする請求項３に記載の膝掛け。
【請求項５】
前記固定部は、面ファスナーによって形成されていることを特徴とする請求項１~４の何れかに記載の膝掛け。
【考案の詳細な説明】
【技術分野】
【０００１】
本考案は、膝掛けに係わり、特に、ずれ落ちを防ぎ、脚部の保温性を高めた膝掛けに関するものである。
【背景技術】
【０００２】
従来、座った姿勢での下半身の防寒を目的として、膝掛けが利用されている。特に、高齢者には、冬場の保温を目的として活用されている。
【０００３】
一般的なひざ掛けは、略長方形に形成されており、大腿部から下腿部に覆い被せたり、大腿部や腹部に巻きつけたりして使用される。
【０００４】
しかしながら、膝からずれ落ちてしまったり、隙間から風が入り込んだりして、十分な防寒性、保温性を確保することができていなかった。
【０００５】
このような不具合に対応するために、例えば、引掛手段を用いて椅子の所定個所に引掛け、面ファスナーによって下腿部を被包可能に形成することで、着座時の保温性を高めた膝掛けが知られている（特許文献１）。
【０００６】
また、腹部から足部に至る長さを有した略Ｔ字形布地によって、腹部並びに下腿部を被包可能に形成した膝掛けが知られている（特許文献２）。
【先行技術文献】
【特許文献】
【０００７】
【特許文献１】特開２００５−２３４３３号公報
【特許文献２】実用新案登録第３１２０２７６号
【考案の概要】
【考案が解決しようとする課題】
【０００８】
前述した技術により、着座時の膝掛けのずれ落ちを防ぎ、脚部の保温性を高めることが可能となった。しかしながら、これらの技術は特に、次のような改善すべき問題点が残されている。
【０００９】
即ち、特許文献１及び特許文献２は、下腿部を袋状部で被包する構造を備えている。そのため、高齢者が一人で着脱することは困難であり、着脱を補助する者に対する負担も大きい。
【００１０】
更に、椅子等から立ち上がり移動する際には、その都度、膝掛けを脱ぐ必要が生じ、膝掛けを脱ぐ際に体温を奪われてしまう。また、立ち上がって移動する際の防寒には適さない。特許文献１の技術では、膝掛けを椅子の所定個所に引掛けることですれ落ちを防止しており、椅子等から立ち上がる際には引掛けた部分を外す作業が必要となる。
【００１１】
以上のように、従来の、ずれ落ちを防いだ膝掛けは、立ち上がっての移動や排泄の際に利用することが困難であった。立ち上がる際には膝掛けを取り外す必要があり、せっかく膝掛けによって保持されていた温度が、失われることとなる。加えて、特に冬季の廊下やトイレでは気温が非常に低く、高齢者がトイレに移動する際や排泄時に、体温を奪われてしまっていた。
【００１２】
そのため、保温性を高めながら、椅子や車椅子などへの着座時はもとより、立ち上がった状態での移動時や、排泄時の何れにも脱衣することなく利用可能なひざ掛けが求められていた。
【００１３】
本考案は、上記のような実状に鑑みてなされたものであり、着座時、移動時、排泄時の何れにも利用可能であって、ずれ落ちを防ぐことが可能な膝掛けを提供することを課題とする。
【課題を解決するための手段】
【００１４】
上記課題を解決するために、本考案は、使用者の胴体を被包可能に形成された帯状部と、前記帯状部から延び、使用者の大腿部から下腿部を覆う被覆部と、を備え、略Ｔ字形状に形成された膝掛けであって、前記帯状部は、前記帯状部の上縁部近傍に内挿され、胴回りの方向に伸縮性を有する伸縮部と、使用者の胴体を被包した状態で固定するための固定部と、と備え、前記帯状部の下縁部から前記被覆部の側縁部にかけて縁部が略弧状に形成され、装着時に臀部及び後大腿部が開放されること、を特徴とする。
【００１５】
このような構成とすることによって、使用者の胴部に膝掛けを固定することができ、膝掛けのずれ落ちを防止することができる。ウェスト部分には、腰回りの方向に伸縮性を有する伸縮部が備えられており、これにより、腹部への圧迫を軽減することができる。
【００１６】
また、前記帯状部の下縁部から前記被覆部の側縁部にかけて、縁部が略弧状に形成されていることにより、帯状部を腰に巻きつけた際に、被覆部が身体に巻きつくように固定することができる。更に、着座時における帯状部と被覆部の隙間を減らし、保温性を高めることができる。また、装着時に臀部及び後大腿部部分が開放されているため、膝掛けを装着した状態で便座に腰かけ、排泄を行うことができる。
【００１７】
そのため、着座時、立ち上がっての移動時、車椅子での移動時、排泄時、何れの際にも利用することができ、膝掛けを取り外すことなく椅子等から移動して排泄等を行うことができる。
【００１８】
本考案の好ましい形態では、前記被覆部の側縁部から下縁部にかけて、縁部が略弧状に形成されていることを特徴とする。
このような構成とすることによって、被覆部の下縁部の床への接触を防ぐことができる。これにより、排泄時や車椅子での移動時に膝掛けが汚れることを防ぎ、好適に利用することができる。
【００１９】
本考案の好ましい形態では、前記被覆部の側縁部近傍に、前記被覆部の側縁方向の長さを調節するための調節部を備えることを特徴とする。
【００２０】
本考案の好ましい形態では、前記調設部は、前記被覆部の側縁方向に延びる袋状部と、前記袋状部の開口から挿通され、前記袋状部の内部で前記被覆部に固定された調節紐と、前記調節紐を所定の長さだけ引き出した位置で固定するための調節固定部と、を備えることを特徴とする。
このような構成とすることによって、足の長さや帯状部の装着位置の好みに対応した膝掛けを提供することができる。また、車椅子への着座時に、膝掛けの側縁部が車輪に巻き込まれることを防止し、好適に利用することができる。
【００２１】
本考案の好ましい形態では、前記固定部は、面ファスナーによって形成されていることを特徴とする。
このような構成とすることで、着脱の極めて容易な膝掛けを提供することができる。
【考案の効果】
【００２２】
着座時、移動時、排泄時に好適に利用可能であって、ずれ落ちを防ぐことが可能な膝掛けを提供することができる。
【図面の簡単な説明】
【００２３】
【図１】本考案の実施形態に係る膝掛けを示す図である。（ａ）は膝掛け全体の正面図を、（ｂ）は膝掛け全体の背面図を示す。
【図２】本考案の実施形態に係る膝掛けを示す図である。（ａ）調節部の部分拡大図を、（ｂ）は調節部によって長さを狭められたひざ掛けを示す。
【図３】本考案の実施形態に調節部の他の実施例を示す図である。
【図４】本考案の実施形態に係る膝掛けを使用者に装着した状態を示す斜視図である。
【図５】本考案の実施形態に係る膝掛けを使用者に装着した状態を示す斜視図である。
【考案を実施するための形態】
【００２４】
以下、本考案の実施の形態について図面を参照して説明する。
図１は本考案に係る膝掛けを示す図であり、図１（ａ）は膝掛けの正面図を、図１（ｂ）は膝掛けの背面図を示している。
【００２５】
図において符号１は、膝掛けを示し、この膝掛け１は、使用者（Ｍ）の腰部や腹部等、胴体に巻きつけることで膝掛け１を身体に固定するための帯状部２と、大腿部から下腿部を覆う被覆部３と、使用者Ｍが手や物を入れるためのポケット４と、を備えている。
【００２６】
膝掛け１は、広げた状態で、この帯状部２及び、帯状部から延びた被覆部３によって、略Ｔ字形に形成されている。ポケット４は、手を入れたり、カイロを入れるなどして使用される。
【００２７】
さらに細述すれば、本実施形態においては、膝掛け１は、綿製のタオル地で形成されている。なお、膝掛け１に使用される生地、材質等には特に制限はなく、使用状況や季節に応じて、種々の生地で形成してかまわない。例えば、綿毛布やタフト毛布などを用いれば、保温性に優れた冬季向けの膝掛けを形成することができる。
【００２８】
帯状部２は、伸縮性を有する伸縮部５と、帯状部２を使用者Ｍの胴体に巻きつけた状態で固定するための固定部６と、を備えている。
【００２９】
本実施形態における伸縮部５は、帯状のゴムを、帯状部２の上縁部（図１における上側の縁部）に内挿して、両端を固定することで形成されている。
【００３０】
本実施形態における固定部６は、帯状部２の上縁部に対になるように備えられた面ファスナー６１によって形成されている。
【００３１】
被覆部３は、被覆部３の側縁部の長さ（図１における上下方向の長さ）を調節するための、調節部７を備えている。図２（ａ）に示すように、本実施形態に係る調節部７は、被覆部３のそれぞれの側縁部近傍に設けられており、調節紐７１と、袋状部７２と、調節固定部７３と、を備えている。
【００３２】
図示例の被覆部３は、大腿部から下腿部を覆う程度の大きさに形成されており、帯状部２を介して使用者Ｍに、前掛けのように装着される。
【００３３】
帯状部２の下縁部（図１における下側の縁部）から被覆部３の側縁部（図１における左右方向の縁部）にかけては、縁部が弧を描くようにひとつながりに形成されている。また、被覆部３の側縁部から被覆部３の下縁部にかけても、縁部が弧状に形成されている。これにより、装着時に、使用者Ｍの臀部及び後大腿部が開放されている。
【００３４】
本実施形態におけるにおける調節紐７１は、伸縮性を有するゴム紐で形成されている。袋状部７２の内部には、調節部７１の端が固定されており、調節紐７１を引き、コードストッパー（調節固定部７３）で固定することで、被覆部３の側縁部の長さを狭めた状態を保持することができる。図２（ｂ）は、調節部７を絞り、被覆部３の側縁部の長さを狭めた状態の膝掛け１を示す正面図である。
【００３５】
また、調節部７を別の形態で構成しても構わない。図３は、調節部７の別の実施例を示す部分拡大図である。図３（ａ）に示すように、調節紐７１を被覆部３内に挿通してその端部を固定し、被覆部３と一体となった袋状部７２の開口に、ハトメを設けるように構成してもよい。
【００３６】
また、図３（ｂ）に示すように、紐（調節紐７１）及び、面ファスナーやスナップボタン（調節固定部７３）を用いて、調節部７を構成してもよい。この場合であっても袋状部７２は、必ずしも被覆部３の表面に設けられている必要はなく、被覆部３が袋状部７２を兼ねるように構成しても構わない。
【００３７】
膝掛け１が使用者Ｍに装着された状態を、図４に示す。この例では、椅子に腰掛けた使用者Ｍに膝掛け１を装着した状態を示している。前記一対の面ファスナー６１を、前記使用者Ｍの胴体を取り囲むように位置させた後に、前記面ファスナー６１によって相互に連結することにより、前記使用者Ｍに装着される。
【００３８】
これにより、使用者Ｍが椅子や車椅子などへの着座した状態から立ち上がって移動する場合等に、膝掛け１を取り外すことなく必要が無くなる。そのため、膝掛けの取り外しに係る体温の低下を防ぐことができる。
【００３９】
加えて、膝掛け１は伸縮部５を有する帯状部２によって、使用者Ｍの胴体に装着されている。そのため、前記面ファスナー６１を相互に連結した状態で、ズボンを着脱するように、膝掛け１を装着することが可能となる。
【００４０】
ここで、帯状部２の下縁部から被覆部３の側縁部にかけて縁部が弧を描くようにひとつながりに形成されてことから、帯状部２で胴体を取り囲んだ際に、被覆部３が使用者の胴体を包み込むように覆うことができる。そのため、被覆部３が風により煽られることを防ぎ、保温性を高めることができる。
【００４１】
さらに、図５に示すように、本実施形態においては、帯状部２で胴体を取り囲んだ際に、この弧状の縁部に沿って臀部が露出するように構成されている。これにより、排泄時においても膝掛け１を取り外す必要が無くなる。
【００４２】
また、被覆部３の側縁部から被覆部３の下縁部にかけて縁部が弧状に形成されていることにより、着座時、特に屋外で座る際や車椅子に着座した際に、被覆部３の下縁部の床等への接触を防ぐことができる。これにより、膝掛け１が汚れることを防ぐことができる。
【００４３】
更に、調節部７が設けられていることにより、被覆部３の長さ調節が可能となる。これにより、使用者Ｍの好ましい位置、長さで膝掛け１を装着することが可能となる。加えて、車椅子への着座時に、車輪への被覆部３の巻き込みを防止することが可能となる。
【００４４】
このように本実施形態の膝掛け１によれば、着座時、移動時、排泄時に好適に利用可能であって、ずれ落ちを防ぐことが可能な膝掛け１を提供することができる。排泄時や車椅子への着座時等であっても常に装着した状態を維持することができるため、効果的に保温を行うことができる。
【００４５】
なお、前記実施形態において示した各構成部材の諸形状や寸法等は一例であって、設計要求等に基づき種々変更可能である。
【００４６】
たとえば、前記固定部６として、面ファスナー６１のものを示したが、これに代えて紐を結び合わせたり、ボタンやスナップボタンで留め合わせる構成にしてもよい。
【産業上の利用可能性】
【００４７】
高齢者が、移動や排泄などを行う際にも常に装着した状態を維持する可能な膝掛けを提供することができる。
【符号の説明】
【００４８】
１  膝掛け
２  帯状部
３  被覆部
４  ポケット
５  伸縮部
６  固定部
６１  面ファスナー
７  調節部
７１  調節紐
７２  袋状部
７３  調節固定部
Ｍ  使用者
【図１】
0003200084.tif 000003
【図２】
0003200084.tif 000004
【図３】
0003200084.tif 000005
【図４】
0003200084.tif 000006
【図５】
0003200084.tif 000007